(57)【特許請求の範囲】
【請求項１】
容器本体の胴部のうち、口部の中心軸線を径方向で挟んで互いに対向して位置する一対の側面領域にそれぞれ、指当て用凹部が形成され、一対の側面領域同士の間に位置する背面領域を含むこれらの指当て用凹部の相互間の全領域がこの容器本体のグリップ部とされたピンチグリップ式ボトル型容器であって、
前記各指当て用凹部の底面にはそれぞれ、胴部の周方向および前記中心軸線方向の双方に対して傾斜する方向に延在したリブが形成され、
該リブは、指当て用凹部の底面から径方向外方に向けて立ち上がる複数の壁面を備え、これらの壁面のうち、表面が前記中心軸線方向の下方に向く下壁面とこの下壁面に連なる前記指当て用凹部の底面とがなす角度は、表面が前記中心軸線方向の上方に向く上壁面とこの上壁面に連なる前記指当て用凹部の底面とがなす角度よりも小さくされていることを特徴とするピンチグリップ式ボトル型容器。
【発明の詳細な説明】
【技術分野】
【０００１】
本発明はピンチグリップ式ボトル型容器に関するものである。
【背景技術】
【０００２】
この種のピンチグリップ式ボトル型容器として、例えば下記特許文献１に示されるような、容器本体の胴部のうち、口部の中心軸線を径方向で挟んで互いに対向して位置する一対の側面領域にそれぞれ、指当て用凹部が形成され、一対の側面領域同士の間に位置する背面領域を含むこれらの指当て用凹部の相互間の全領域がこの容器本体のグリップ部とされた構成が知られている。さらに、指当て用凹部の底面に、胴部の周方向に沿って水平方向に延びるリブが形成され、このリブによって、使用者が容器本体を容易に持ち上げたり、傾けたりすることができる等その取り扱い性が向上されるとともに、容器本体の胴部において、内圧や内容物からの衝撃荷重が集中して径方向外方に膨出変形し易い指当て用凹部が補強されている。
なお、このピンチグリップ式ボトル型容器は、容器本体に把手が設けられた把手付きボトル型容器と比べて、廃棄時に容器本体と把手とを分別しなくてもよいので、使用者が容易に廃棄することが可能であり、また、特に容器本体の充填内容量が多く（例えば２．７リットル以上）全体の重量が大きい場合には、使用者において、胴部の径方向の広範囲を把持して持ち上げることができ、安定した使用ができること等の理由により、従来から広く採用されている。
そして、近年では、製造コストの低減やリサイクル適性の観点からピンチグリップ式ボトル型容器の軽量化、つまり容器本体の薄肉化が要望されている。
【特許文献１】特開２００３−１６５５１８号公報
【発明の開示】
【発明が解決しようとする課題】
【０００３】
しかしながら、前記従来のピンチグリップ式ボトル型容器では、容器本体を薄肉にすると、内圧や内容物からの衝撃荷重が前記指当て用凹部に作用したときに、前記リブが起点となって指当て用凹部全体が膨出変形し易くなるおそれがあった。
【０００４】
本発明は、このような事情を考慮してなされたもので、容器本体を薄肉にしても指当て用凹部が膨出変形し易くなるのを抑制することができるピンチグリップ式ボトル型容器を提供することを目的とする。
【課題を解決するための手段】
【０００５】
上記課題を解決して、このような目的を達成するために、本発明のピンチグリップ式ボトル型容器は、容器本体の胴部のうち、口部の中心軸線を径方向で挟んで互いに対向して位置する一対の側面領域にそれぞれ、指当て用凹部が形成され、一対の側面領域同士の間に位置する背面領域を含むこれらの指当て用凹部の相互間の全領域がこの容器本体のグリップ部とされたピンチグリップ式ボトル型容器であって、前記各指当て用凹部の底面にはそれぞれ、胴部の周方向および前記中心軸線方向の双方に対して傾斜する方向に延在したリブが形成され、該リブは、指当て用凹部の底面から径方向外方に向けて立ち上がる複数の壁面を備え、これらの壁面のうち、表面が前記中心軸線方向の下方に向く下壁面とこの下壁面に連なる前記指当て用凹部の底面とがなす角度は、表面が前記中心軸線方向の上方に向く上壁面とこの上壁面に連なる前記指当て用凹部の底面とがなす角度よりも小さくされていることを特徴とする。
この発明では、指当て用凹部の底面に、胴部の周方向および前記中心軸線方向の双方に対して傾斜する方向に延在したリブが形成されているので、使用者が容器本体のグリップ部を把持したときの指の良好な引っかかり性を維持しつつ、指当て用凹部においてリブおよびその周辺部に作用する内圧や内容物からの衝撃荷重を、このリブが、胴部の周方向のみならず前記中心軸線方向にも分散させて受けることによって応力が集中するのを抑えることが可能になる。したがって、軽量化を図るために容器本体を薄肉にしてもリブが起点となって指当て用凹部全体が膨出変形し易くなるのを抑制することができる。
【０００６】
さらに、下壁面とこの下壁面に連なる前記指当て用凹部の底面とがなす角度が小さい、つまり指当て用凹部の底面から急峻に立ち上がっているので、使用者が容器本体のグリップ部を把持したときの指の良好な引っかかり性を確実に維持することが可能になり、また、上壁面とこの上壁面に連なる前記指当て用凹部の底面とがなす角度が大きい、つまり緩やかな勾配を形成しているので、このピンチグリップ式ボトル型容器をブロー成形や射出成形などの型枠を使用した成形方法で形成した後に、この容器を型枠から容易に離型することができる。
【発明の効果】
【０００７】
この発明に係るピンチグリップ式ボトル型容器によれば、容器本体を薄肉にしても指当て用凹部が膨出変形し易くなるのを抑制することができる。
【発明を実施するための最良の形態】
【０００８】
以下、図面を参照し、この発明の実施の形態について説明する。この実施形態に係るピンチグリップ式ボトル型容器１０は、容器本体の胴部１１のうち、口部１２の中心軸線Ｏを径方向で挟んで互いに対向して位置する一対の側面領域１１ａにそれぞれ、指当て用凹部１３が形成され、一対の側面領域１１ａ同士の間に位置する背面領域１１ｂを含むこれらの指当て用凹部１３の相互間の全領域がこの容器本体のグリップ部Ｇとされている。なお、本実施形態では、胴部１１において前記中心軸線Ｏを径方向で挟んで背面領域１１ｂと対向して位置する領域を前面領域１１ｃという。
【０００９】
図示の例では、胴部１１の前記中心軸線Ｏ方向の上端部に肩部１４が設けられるとともに、この肩部１４の上端部に口部１２が設けられ、これらの肩部１４、口部１２および胴部１１は合成樹脂により一体的に形成されている。口部１２には、図示されないキャップが螺着される雄ねじ部１２ａが形成されている。肩部１４には減圧吸収用の複数のパネル面１４ａが形成され、これらのパネル面１４ａは前記中心軸線Ｏ回りに稜線をなして連結されている。
【００１０】
また、胴部１１の背面領域１１ｂには、容器本体内の減圧に伴う復元困難な形状変形を防止するための減圧吸収パネル１５が形成されており、この減圧吸収パネル１５がグリップ部Ｇの一部を構成している。さらに、胴部１１の背面領域１１ｂにおいて、減圧吸収パネル１５よりも前記中心軸線Ｏ方向の上方に位置する部分には、周方向に延在し、側面領域１１ａにおける背面領域１１ｂ側の端部にまで至る凹リブ１６が形成されている。さらにまた、各指当て用凹部１３の外周縁のうち、側面領域１１ａにおける前面領域１１ｃ側の端縁部には、胴部１１の内方に凹む段差１７が形成されている。
【００１１】
そして、本実施形態では、各指当て用凹部１３の底面にはそれぞれ、胴部１１の周方向および前記中心軸線Ｏ方向の双方に対して傾斜する方向に延在した複数のリブ１８が形成されている。各リブ１８はそれぞれ、前記中心軸線Ｏ方向に間隔をあけて互いに平行となるように延在している。そして、これらのリブ１８により、指当て用凹部１３は前記中心軸線Ｏ方向に複数に区画されている。また、各リブ１８は、前面領域１１ｃ側から背面領域１１ｂ側に向かうに従い漸次、前記中心軸線Ｏ方向の下方に向かうように傾斜して延在している。
【００１２】
さらに、本実施形態では、複数のリブ１８はそれぞれ、指当て用凹部１３の底面から径方向外方に向けて立ち上がる複数の壁面を備え、これらの壁面のうち、表面が前記中心軸線Ｏ方向の下方に向く下壁面１８ａとこの下壁面１８ａに連なる指当て用凹部１３の底面とがなす角度θ１は、表面が前記中心軸線Ｏ方向の上方に向く上壁面１８ｂとこの上壁面１８ｂに連なる指当て用凹部１３の底面とがなす角度θ２よりも小さくされている。図示の例では、各リブ１８において前記複数の壁面それぞれの径方向外方端部に連結された上面１８ｇは、その平面視が長方形とされ、下壁面１８ａおよび上壁面１８ｂと前記上面１８ｇとの連結部分がそれぞれ、この長方形における長辺をなしている。
【００１３】
また、各リブ１８において、前記長方形を構成する４つの頂部１８ｃ〜１８ｆの高さ位置、つまり前記中心軸線Ｏ方向の位置は全て異なっている。さらに、各リブ１８の前記４つの頂部１８ｃ〜１８ｆのうち、背面領域１１ｂ側に位置する２つの頂部１８ｃ、１８ｄはそれぞれ、前面領域１１ｃ側に位置する２つ頂部１８ｅ、１８ｆよりも前記中心軸線Ｏ方向の下方に配置されている。すなわち、背面領域１１ｂ側に位置する２つの頂部１８ｃ、１８ｄのうち、前記中心軸線Ｏ方向の上方に位置する頂部１８ｄは、前面領域１１ｃ側に位置する２つの頂部１８ｅ、１８ｆのうち、前記中心軸線Ｏ方向の下方に位置する頂部１８ｅよりも下方に配置されている。
【００１４】
さらに、前記中心軸線Ｏ方向で隣合う各リブ１８では、上方に位置するリブ１８の前記４つの頂部１８ｃ〜１８ｆのうち、前記中心軸線Ｏ方向の最下端に位置する下端頂部１８ｃは、下方に位置するリブ１８の前記４つの頂部１８ｃ〜１８ｆのうち、前記中心軸線Ｏ方向の最上端に位置する上端頂部１８ｆよりも前記中心軸線Ｏ方向の上方に配置されている。なお、上方に位置するリブ１８の下端頂部１８ｃと下方に位置するリブ１８の上端頂部１８ｆとの間には前記中心軸線Ｏ方向における間隔Ａを設けている。
【００１５】
以上説明したように本実施形態に係るピンチグリップ式ボトル型容器１０によれば、指当て用凹部１３の底面に、胴部１１の周方向および前記中心軸線Ｏ方向の双方に対して傾斜する方向に延在した複数のリブ１８が形成されているので、使用者が容器本体のグリップ部Ｇを把持したときの指の良好な引っかかり性を維持しつつ、指当て用凹部１３においてリブ１８およびその周辺部に作用する内圧や内容物からの衝撃荷重を、このリブ１８が、胴部１１の周方向のみならず前記中心軸線Ｏ方向にも分散させた状態で受けることによって応力が集中するのを抑えることが可能になる。したがって、軽量化を図るために容器本体を薄肉にしてもリブ１８が起点となって指当て用凹部１３全体が膨出変形し易くなるのを抑制することができる。
【００１６】
また、各リブ１８が備える複数の壁面のうち、下壁面１８ａとこの下壁面１８ａに連なる指当て用凹部１３の底面とがなす角度θ１が小さい、つまり指当て用凹部１３の底面から急峻に立ち上がっているので、使用者が容器本体のグリップ部Ｇを把持したときの指の良好な引っかかり性を確実に維持することができる。さらに、各リブ１８が備える複数の壁面のうち、上壁面１８ｂとこの上壁面１８ｂに連なる指当て用凹部１３の底面とがなす角度θ２が大きい、つまり緩やかな勾配を形成しているので、このピンチグリップ式ボトル型容器１０をブロー成形や射出成形などの型枠を使用した成形方法で形成した後に、この容器１０を型枠から容易に離型することができる。
【００１７】
なお、本発明の技術的範囲は前記実施の形態に限定されるものではなく、本発明の趣旨を逸脱しない範囲において種々の変更を加えることが可能である。
例えば、ピンチグリップ式ボトル型容器１０は、ポリエチレンテレフタレート等の熱可塑性樹脂を二軸延伸ブロー成形によって成形できるが、その製造方法はいずれであってもよく、また、ピンチグリップ式ボトル型容器１０の充填容量も特に限定されるものではなく、例えば、２．７リットル、２．７リットル超、あるいは、それより少ない充填容量である１．８リットル、１リットル、５００ミリリットル、３５０ミリリットル等であっても適用可能である。
【００１８】
さらに、前記実施形態では、各リブ１８の前記４つの頂部１８ｃ〜１８ｆの高さ位置を全て異ならせたが、例えば、図６に示されるように、背面領域１１ｂ側に位置する２つの頂部１８ｃ、１８ｄのうち、前記中心軸線Ｏ方向の上方に位置する頂部１８ｄと、前面領域１１ｃ側に位置する２つの頂部１８ｅ、１８ｆのうち、前記中心軸線Ｏ方向の下方に位置する頂部１８ｅとは同じ高さ位置に配置するようにしてもよい。この場合、胴部１１の周方向に沿って水平方向に延在した従来のリブが有する、内容物からの衝撃荷重等に対する強度を具備させつつ、前記中心軸線Ｏ方向に分散させる機能をも併せ持たせることが可能になる。また、指の引っかかり性も良好となる。
【００１９】
また、前記実施形態では、前記中心軸線Ｏ方向で隣合う各リブ１８を、上方に位置するリブ１８の下端頂部１８ｃが、下方に位置するリブ１８の上端頂部１８ｆよりも前記中心軸線Ｏ方向の上方に位置するように配置したが、例えば、図７に示されるように、上方に位置するリブ１８の下端頂部１８ｃと、下方に位置するリブ１８の上端頂部１８ｆとを同じ高さ位置に配置する、あるいは上方に位置するリブ１８の下端頂部１８ｃを、下方に位置するリブ１８の上端頂部１８ｆよりも前記中心軸線Ｏ方向の下方に配置するようにして複数のリブ１８を形成してもよい。これらの場合、指当て用凹部１３における前記中心軸線Ｏ方向の全域にリブ１８が配置されている、すなわち指当て用凹部１３における前記中心軸線Ｏ方向の全域においてその周方向でリブ１８を重ね合わせることが可能になり、この指当て用凹部１３の前記衝撃荷重等に対する強度をより一層確実に向上させることができる。
【００２０】
さらに、各リブ１８として、前面領域１１ｃ側から背面領域１１ｂ側に向かうに従い漸次、前記中心軸線Ｏ方向の下方に向かうように傾斜して延在した構成を示したが、これとは逆に、背面領域１１ｂ側から前面領域１１ｃ側に向かうに従い漸次、前記中心軸線Ｏ方向の下方に向かうように傾斜して延在させるようにしてもよい。
また、リブの本数は１本でもよく、ボトルの容量および形状、リブの傾斜角度等によって適宜設定することができる。
【産業上の利用可能性】
【００２１】
容器本体を薄肉にしても指当て用凹部が膨出変形し易くなるのを抑制することができる。
【図面の簡単な説明】
【００２２】
【図１】本発明に係る一実施形態として示したピンチグリップ式ボトル型容器の側面図である。
【図２】図１に示すピンチグリップ式ボトル型容器の背面図である。
【図３】図１および図２に示すピンチグリップ式ボトル型容器の前面図である。
【図４】図１に示すピンチグリップ式ボトル型容器のＸ−Ｘ線矢視断面図である。
【図５】図１に示すピンチグリップ式ボトル型容器のＹ−Ｙ線矢視断面図である。
【図６】図１に示すリブの第２実施形態を示すものである。
【図７】図１に示すリブの第３実施形態を示すものである。
【符号の説明】
【００２３】
１０  ピンチグリップ式ボトル型容器
１１  胴部
１１ａ  側面領域
１１ｂ  背面領域
１２  口部
１３  指当て用凹部
１８  リブ
１８ａ  下壁面
１８ｂ  上壁面
Ｇ  グリップ部
Ｏ  中心軸線
θ１、θ２  角度
【図１】
0004786416.tif 000002
【図２】
0004786416.tif 000003
【図３】
0004786416.tif 000004
【図４】
0004786416.tif 000005
【図５】
0004786416.tif 000006
【図６】
0004786416.tif 000007
【図７】
0004786416.tif 000008